(57)【要約】【課題】  散水が不要なときにはショベルに転換できる兼用機であって、しかも足元を含めた任意の広い範囲に散水可能で粉塵抑止効果を高める。【解決手段】  ショベルの掘削用アタッチメント３の先端部に着脱可能に取付けられるノズル１６を有する散水装置１７と、貯水用のタンク２０と、このタンク２０が載置されるタンク台１８と、タンク２０内の水をホース２２を介して散水装置１７に送ってノズル１６から噴射させるポンプ２１とを備え、タンク台１８を下部走行体１に、タンク台アーム１９を介して着脱可能で、かつ、ドーザシリンダ１４により地面に接する下降位置と地面から離れる上昇位置との間で昇降し得る状態で取付けた。【選択図】        図１
2007075705.tif 000002
【特許請求の範囲】
【請求項１】
下部走行体上に上部旋回体が縦軸まわりに旋回自在に搭載され、この上部旋回体に起伏及び屈伸運動を行う掘削用のアタッチメントが装着されて成るショベルを母体として構成される散水車であって、上記アタッチメントの先端部に着脱可能に取付けられたノズルを有する散水装置と、貯水用のタンクと、このタンクが載置されるタンク台と、タンク内の水をホースを介して上記散水装置に送ってノズルから噴射させるポンプとを備え、上記タンク台を、上記下部走行体にタンク台アームを介して着脱可能で、かつ、タンク台昇降シリンダによって地面に接する下降位置と地面から離れる上昇位置との間で昇降し得る状態で取付けたことを特徴とする散水車。
【請求項２】
ドーザを下部走行体にドーザアームを介して着脱可能で、かつ、ドーザシリンダによって昇降し得る状態で取付け、このドーザを下部走行体から取外した状態で、タンク台アームを上記ドーザアームの取付部によって下部走行体に取付け、上記ドーザシリンダによって昇降させ得るように構成したことを特徴とする請求項１記載の散水車。
【請求項３】
タンクに、外部水源からタンク内に給水するための給水管を設けたことを特徴とする請求項１または２記載の散水車。
【請求項４】
アタッチメントはブームと、このブームの先端に取付けられたアームと、このアームの先端に取付けられたバケットとを備え、このバケットを取外した状態で、散水装置を、バケットリンク及びバケットシリンダによって上下に回動可能な状態でアームの先端に着脱可能に取付けるように構成したことを特徴とする請求項１乃至３のいずれか１項に記載の散水車。
【請求項５】
散水装置のノズルを首振りシリンダによって上下方向と左右方向の少なくとも一方向に首振り可能に構成したことを特徴とする請求項１乃至４のいずれか１項に記載の散水車。
【請求項６】
首振りシリンダとして電動シリンダを用いる一方、ノズルの給水管路に電磁弁を設け、上記首振りシリンダ及び電磁弁を無線制御装置によって遠隔制御するように構成したことを特徴とする請求項５記載の散水車。
【請求項７】
発電機が搭載される発電機架台を下部走行体に着脱可能に取付けたことを特徴とする請求項１乃至６のいずれか１項に記載の散水車。
【発明の詳細な説明】
【技術分野】
【０００１】
本発明は解体現場のような粉塵が発生する場所で使用される散水車に関するものである。
【背景技術】
【０００２】
たとえば建物等の解体現場では解体作業時に多量の粉塵が発生するため、この粉塵を抑えるために作業しながら解体個所等に向けて散水が行われる。
【０００３】
従来、この散水を行う手段として、解体機そのもの、すなわち解体アタッチメントの先端部(たとえば圧砕装置)に散水ノズルを設け、別置きしたタンクユニット(タンク及びポンプ)からこの散水ノズルに給水して噴射させるものが公知である。
【０００４】
また、クローラ式の自走台車の上にタンク、ポンプ、散水ノズルを搭載した散水専用車も公知である(特許文献１参照)。
【特許文献１】実開平６−３１８５９号公報
【発明の開示】
【発明が解決しようとする課題】
【０００５】
しかし、前者の解体アタッチメントにノズルを設けた解体・散水兼用機では、解体しながらその解体部分に向けて散水する構成であって、解体個所以外の部分には散水できないため、落下物等によって足元部分に発生する粉塵には役に立たない。このため、広い現場全体での粉塵抑止効果の点で不十分となる。
【０００６】
一方、後者の自走式の散水専用車によると、散水以外の用途に使用できないためコスト面で不利となる。また、目標に的確に散水するためのノズルの移動、向き調整の自由度が低くて散水範囲が制限されるという難点もあった。
【０００７】
そこで本発明は、散水が不要なときにはショベルに転換できる兼用機であって、しかも足元を含めた任意の広い範囲に散水可能で高い粉塵抑止効果を得ることができる散水車を提供するものである。
【課題を解決するための手段】
【０００８】
請求項１の発明は、下部走行体上に上部旋回体が縦軸まわりに旋回自在に搭載され、この上部旋回体に起伏及び屈伸運動を行う掘削用のアタッチメントが装着されて成るショベルを母体として構成される散水車であって、上記アタッチメントの先端部に着脱可能に取付けられたノズルを有する散水装置と、貯水用のタンクと、このタンクが載置されるタンク台と、タンク内の水をホースを介して上記散水装置に送ってノズルから噴射させるポンプとを備え、上記タンク台を、上記下部走行体にタンク台アームを介して着脱可能で、かつ、タンク台昇降シリンダによって地面に接する下降位置と地面から離れる上昇位置との間で昇降し得る状態で取付けたものである。
【０００９】
請求項２の発明は、請求項１の構成において、ドーザを下部走行体にドーザアームを介して着脱可能で、かつ、ドーザシリンダによって昇降し得る状態で取付け、このドーザを下部走行体から取外した状態で、タンク台アームを上記ドーザアームの取付部によって下部走行体に取付け、上記ドーザシリンダによって昇降させ得るように構成したものである。
【００１０】
請求項３の発明は、請求項１または２の構成において、タンクに、外部水源からタンク内に給水するための給水管を設けたものである。
【００１１】
請求項４の発明は、請求項１乃至３のいずれかの構成において、アタッチメントはブームと、このブームの先端に取付けられたアームと、このアームの先端に取付けられたバケットとを備え、このバケットを取外した状態で、散水装置を、バケットリンク及びバケットシリンダによって上下に回動可能な状態でアームの先端に着脱可能に取付けるように構成したものである。
【００１２】
請求項５の発明は、請求項１乃至４のいずれかの構成において、散水装置のノズルを首振りシリンダによって上下方向と左右方向の少なくとも一方向に首振り可能に構成したものである。
【００１３】
請求項６の発明は、請求項５の構成において、首振りシリンダとして電動シリンダを用いる一方、ノズルの給水管路に電磁弁を設け、上記首振りシリンダ及び電磁弁を無線制御装置によって遠隔制御するように構成したものである。
【００１４】
請求項７の発明は、請求項１乃至６のいずれかの構成において、発電機が搭載される発電機架台を下部走行体に着脱可能に取付けたものである。
【発明の効果】
【００１５】
本発明によると、次の効果を得ることができる。
【００１６】
(ｉ)  ショベル兼用機、すなわち、散水が不要なときはショベルに転換することができるため、コストが安くてすむ。
【００１７】
(ｉｉ)  アタッチメントの先端部にノズルを有する散水装置を設けるため、同アタッチメントの起伏、屈伸動作を利用することにより、ノズルの移動、向き調整の自由度を広げ、解体部分、足元部分等任意の広い範囲に散水することができる。
【００１８】
(ｉｉｉ)  タンク台を下部走行体にタンク台アームを介して着脱可能に取付けるため、ショベルそのものにタンク台を増設する場合のような大幅な構造の改変が不要となる。このため、さらにコストダウンできるとともに、ショベルと散水車の転換に伴うタンクの着脱が容易となる。
【００１９】
(ｉｖ)  タンクが昇降可能であるため、上昇させて走行すること、すなわちショベル本来の自走機能を確保し、最適の位置に自ら速やかに移動することができる。
【００２０】
この場合、請求項２の発明によると、ショベルの設備であるドーザの取付部分及びドーザシリンダをそのままタンク台アームの取付部分、タンク台の昇降シリンダとして利用することができる。このため、構造の大幅な改造が不要となり、さらにコストダウンできる。
【００２１】
請求項３の発明によると、給水管を外部水源に接続することにより、タンクに給水しながら散水できるため、中断のない長時間の散水が可能となる。
【００２２】
請求項４の発明によると、アームの先端に、既設のバケットリンク、バケットシリンダを利用して散水装置を上下回動可能に取付けることができる。このため、着脱が簡単で、兼用化のための構造が簡単ですむ。
【００２３】
請求項５の発明によると、ノズルの向きを上下、左右の少なくとも一方向に調整することができる。とくに、請求項４の発明と組み合わせることにより、バケットシリンダによる上下回動運動と合わせて調整をさらに細かく行うことができるため、散水効果を高めることができる。
【００２４】
請求項６の発明によると、ノズルの首振り動作及びノズルの散水／停止を無線で制御できるため、散水車そのものの移動やアタッチメントの操作による散水装置の位置決めのみを有人で行えば、後は無人として、散水作用を解体機のオペレータ等が遠隔操作で行うことが可能となる。従って、作業の省力化が可能となるとともに安全性を確保することができる。また、散水車を目標に最大限接近させて効率の良い散水作業を行うことができる。
【００２５】
ところで、上記首振りシリンダ等を含めて電動式の設備を設ける場合、電源が必要となる。この点、請求項７の発明によると、自ら電源を抱えているため、外部電源を確保できない場所を含めてあらゆる現場で使用することができる。
【発明を実施するための最良の形態】
【００２６】
この散水車は、油圧ショベルを母体としてその一部を交換し、かつ、一部を追加することによって構成される。
【００２７】
図７に母体となる油圧ショベルを示す。このショベルは、クローラ式の下部走行体１上に上部旋回体２が縦軸まわりに旋回自在に搭載され、この上部旋回体２に掘削用のアタッチメント３が装着されて構成される。
【００２８】
アタッチメント３は、起伏自在なブーム４と、このブーム４の先端に上下回動自在に取付けられたアーム５と、このアーム５の先端に上下回動自在に取付けられたバケット６と、ブーム、アーム、バケット各シリンダ(いずれも油圧シリンダ)７,８,９とによって起伏自在でかつ屈伸自在に構成されている。
【００２９】
１０はバケットシリンダ９の伸縮運動をバケット６の上下回動運動に変換するバケットリンク、１１は上部旋回体２の運転席を上から覆うキャノピである。
【００３０】
また、下部走行体１の前部に整地用のドーザ１２がドーザアーム１３を介して着脱可能に取付けられ、ドーザシリンダ(油圧シリンダ)１４によって昇降するように構成されている。１５は下部走行体１にドーザアーム１３の基端部を上下回動可能に取付けるためのドーザアームピンである。
【００３１】
この油圧ショベルを転換して構成される散水車を図１〜図５に示す。なお、図２においてアタッチメント３の図示を省略している。
【００３２】
図７と図１,２とを比較して分かるように、散水車への転換時にはアタッチメント３の先端(アーム５の先端)から図７のバケット６が取外され、このバケット跡に、複数のノズル１６(図３,４等に示す。後に詳述する)を備えた散水装置１７が取付けられる。
【００３３】
一方、下部走行体１からドーザ１２がドーザアーム１３ごと取外された後、その取外し跡にタンク台１８がタンク台アーム１９を介して上下回動自在に取付けられ、ショベル時のドーザシリンダ(タンク台昇降シリンダ)１４によって、図１,２に示すように地面に接する下降位置と、図５に示すように地面から離れる上昇位置との間で昇降するように構成される。
【００３４】
この場合、ドーザアーム取付部分、すなわち、図７のドーザアームピン１５とそのピン穴をタンク台アーム１９の取付ピンとそのピン穴として利用することができる。
【００３５】
タンク台１８には貯水用のタンク２０とポンプ(電動ポンプ)２１とが載置され、このポンプ２１の吐出側が吐出管２１ａ及びホース２２を介してアタッチメント先端の散水装置１７に接続される。これにより、タンク２０内の水がノズル１６から噴射される(散水される)ように構成されている。
【００３６】
また、タンク２０には給水管２３が設けられ、この給水管２３が外部水源(たとえば水道)に接続されることにより、散水中にもタンク２０に給水できるようになっている。
【００３７】
さらに、下部走行体１の後部に発電機架台２４が後方に張り出して着脱可能に取付けられ、この発電機架台２４上にポンプ２１等の電源となる発電機２５が搭載されている。
【００３８】
散水装置１７の構成を図３,４によって説明する。
【００３９】
この散水装置１７は、アタッチメント３のアーム先端に取付けられるブラケット２６と、複数(図４の例では四つ)のノズル１６が取付けられたノズルフレーム２７とを備え、このノズルフレーム２７が上下首振りシリンダ２８によって左右方向の水平軸(以下、上下首振り軸という)２９まわりに上下に首振り可能な状態でブラケット２６に取付けられている。
【００４０】
ブラケット２６は、図７のバケット６の上下回動構造をそのまま利用し、バケットリンク１０を介してバケットシリンダ９に連結される。
【００４１】
ノズルフレーム２７は、ブラケット２６に取付けられた基枠３０と、各ノズル１６…がアタッチメント先端側を向いた状態で左右に並んで取付けられたノズル枠３１とによって構成されている。
【００４２】
このノズル枠３１は、基枠２９に対して縦軸(ノズル１６が前向きとなる状態での垂直軸。以下、左右首振り軸という)３２によって左右方向に回動可能に取付けられ、左右首振りシリンダ３３によって左右に首振り可能に構成されている。
【００４３】
上下、左右両首振りシリンダ２８,３３は、図示しない電動機を駆動源とする電動シリンダが用いられ、この散水車に搭載された無線制御装置によって遠隔操作される。
【００４４】
この無線制御装置の構成を図６に示す。
【００４５】
同装置は、ポンプ２１とともに発電機２５を電源とする制御盤３４を備え、たとえば解体機のオペレータによって操作される送信機３５からの無線信号をアンテナ３６を介してこの制御盤３４(図示しない受信機)で受け、送信機３５の操作に基づく制御盤３４からの信号によって両首振りシリンダ２８,３３が上下または左右の首振り動作を行うように構成されている。
【００４６】
また、ポンプ２１とノズル１６…とを結ぶ給水管路(たとえばホース２２の先端側)に電磁弁３７が設けられ、送信機３５の操作に基づく制御盤３４からの信号によってこの電磁弁３７が開閉する。
【００４７】
以上の構成において、解体現場等で散水を行うときは、図１,２に示すように適宜の場所でタンク台１８を接地させ、適時、外部水源から給水管２３を介してタンク２０に給水しながら、ポンプ２１を駆動し、散水装置１７のノズル１６から目標に向かって散水する。
【００４８】
この散水作業中、アタッチメント３の起伏、屈伸動作を利用して解体部分、足元部分等任意の広い範囲に散水することができる。
【００４９】
また、外部水源からタンクに給水しながら散水できるため、中断のない長時間の散水が可能となる。
【００５０】
しかも、ノズル１６が上下及び左右に首振り可能であるため、バケットシリンダ９による上下回動運動との組み合わせによってノズル１６の向きを上下、左右の広い範囲で正確に調整して効率の良い散水作用を行うことができる。
【００５１】
一方、位置を変えたいときは、図５に示すようにタンク台１８をドーザシリンダ１４によって上昇させ、下部走行体１の走行機能により自ら最適の散水位置に速やかに移動することができる。
【００５２】
また、この散水車によると、次の利点を有する。
【００５３】
(イ)  散水が不要なときは、アタッチメント先端から散水装置１７を取外してバケット６に付け替え、下部走行体１からタンク台１８を取外してドーザ１２に付け替え、かつ、発電機２５及び発電機架台２４を取外すことによってショベルに転換することができるため、散水専用車と比較してコストが安くてすむ。
【００５４】
(ロ)  タンク台１８を下部走行体１にタンク台アーム１９を介して着脱可能に取付けるため、ショベルそのものにタンク台１８を増設する場合のような大幅な構造の改変が不要となる。このため、さらにコストダウンできるとともに、ショベルと散水車の転換に伴うタンク２０の着脱が容易となる。
【００５５】
(ハ)  ショベルの設備であるドーザアーム１３の取付部分(ドーザアームピン１５とそのピン穴)及びドーザシリンダ１４をそのままタンク台アーム１９の取付部分及びタンク台１８の昇降シリンダとして利用することができる。このため、兼用のための構造がさらに簡単となり、一層のコストダウンが可能となる。
【００５６】
(ニ)  アタッチメント３のアーム先端に、既設のバケットリンク１０、バケットシリンダ９を利用して散水装置１７を上下回動可能に取付けることができる。このため、着脱が簡単で、しかも兼用のための構造がさらに簡単でコストが安くなる。
【００５７】
(ホ)  ノズル１６の上下及び左右の首振り動作、及び電磁弁３７の開閉による散水／停止を無線で制御できるため、散水車そのものの移動やアタッチメントの操作による散水装置の位置決めのみを有人で行えば、後は無人として、散水作用を解体機のオペレータ等が遠隔操作で行うことが可能となる。従って、作業の省力化が可能となるとともに安全性を確保することができる。また、散水車を目標に最大限接近させて効率の良い散水作業を行うことができる。
【００５８】
(ヘ)  電動式の上下、左右両首振りシリンダ２８,３３及びポンプ２１といった電気設備の電源となる発電機２５を自ら抱えているため、外部電源を確保できない場所を含めてあらゆる現場で使用することができる。
【００５９】
他の実施形態
(１)  ポンプ２１として油圧ポンプ、両首振りシリンダ２８,３３として油圧シリンダをそれぞれ用いてもよい。この場合、他に電気設備がなければ発電機２５を設ける必要がなくなる。
【００６０】
(２)  散水装置１７のノズル１６を上下または左右の一方のみに首振り可能に構成してもよい。
【００６１】
(３)  ノズル１６として、水を拡散して噴射する機構を備えたものを用いてもよい。
【００６２】
(４)  タンク台アーム１９を、図７のドーザアーム１３の取付部とは別の専用取付部によって下部走行体１に取付けるようにしてもよい。
【００６３】
(５)  タンク台１８をドーザシリンダ１４とは別の専用のシリンダによって昇降させるようにしてもよい。
【図面の簡単な説明】
【００６４】
【図１】本発明の実施形態にかかる散水車の側面図である。
【図２】同平面図である。
【図３】散水車の散水装置を拡大して示す側面図である。
【図４】同正面図である。
【図５】散水車を自走機能によって移動させる状態を示す側面図である。
【図６】無線制御装置の構成を示す図である。
【図７】散水車の母体としての油圧ショベルの側面図である。
【符号の説明】
【００６５】
１  下部走行体
２  上部旋回体
３  掘削用のアタッチメント
４  アタッチメントのブーム
５  同アーム
６  同バケット
９  バケットシリンダ
１０  バケットリンク
１２  ドーザ
１３  ドーザアーム
１４  ドーザシリンダ
１５  ドーザアームピン
１６  ノズル
１７  散水装置
１８  タンク台
１９  タンク台アーム
２０  タンク
２１  ポンプ
２２  ホース
２３  給水管
２４  発電機架台
２５  発電機
２６  散水装置を構成するブラケット
２７  同ノズルフレーム
２８  上下首振りシリンダ
２９  上下首振り軸
３０  ノズルフレームの基枠
３１  同ノズル枠
３２  左右首振り軸
３３  左右首振りシリンダ
３４  無線制御装置を構成する制御盤
３５  同送信機
３６  同アンテナ
３７  同電磁弁
【図１】
2007075705.tif 000003
【図２】
2007075705.tif 000004
【図３】
2007075705.tif 000005
【図４】
2007075705.tif 000006
【図５】
2007075705.tif 000007
【図６】
2007075705.tif 000008
【図７】
2007075705.tif 000009